(57)【要約】      （修正有）【課題】可変の形状を有する移動する目標表面上に、画像機構の焦点合わせを動的に行う方法を提供する。【解決手段】（１）目標表面の形状のモデルを作成すること、（２）目標表面の所定数の箇所の相対位置を測定すること、（３）その目標表面の所定数の箇所を用いて、そのモデルを目標表面に適用すること、（４）そのモデルの目標表面への適用によって得られたデータを用いて、移動する目標表面上へ画像機構の焦点合わせすること、によって、目標表面上に画像機構の焦点合わせを動的に行う。【選択図】なし【特許請求の範囲】
【請求項１】
可変の形状を有する移動する目標表面上に、画像機構の焦点合わせを動的に行う方法であって、
目標表面の形状のモデルを作成することと、
該目標表面の所定数の箇所の相対位置を測定することと、
該目標表面の該所定数の箇所を用いて、該モデルを該目標表面に適用することと、
該モデルの該目標表面への適合によって得られたデータを用いて、該移動する目標表面上への該画像機構の焦点合わせをすることと
を包含する、方法。
【請求項２】
前記目標表面上の前記所定数の箇所の前記相対位置は、センサーを使用して識別される、請求項１に記載の可変の形状を有する移動する表面上に画像機構の焦点合わせを動的に行う方法。
【請求項３】
前記目標表面は少なくともいくらかの弾性的性質を有する、またその周辺を強固に支持された、平板であるとする、請求項１に記載の可変の形状を有する移動する表面上に画像機構の焦点合わせを動的に行う方法。
【請求項４】
前記目標表面はその周辺上の２またはそれ以上の不連続な箇所で支持される、請求項３に記載の可変の形状を有する移動する表面上に画像機構の焦点合わせを動的に行う方法。
【請求項５】
前記目標表面は前記画像機構に対して回転させられる、請求項３に記載の可変の形状を有する移動する表面上に画像機構の焦点合わせを動的に行う方法。
【請求項６】
前記画像機構は前記目標表面の実質的に全体の画像を捉えるように適合されている、請求項１に記載の可変の形状を有する移動する表面上に画像機構の焦点合わせを動的に行う方法。
【請求項７】
前記画像機構は面走査カメラおよび線走査カメラのうちの１つをさらに含む、請求項６に記載の可変の形状を有する移動する表面上に画像機構の焦点合わせを動的に行う方法。
【請求項８】
前記画像機構は複数画像を捉える、請求項７に記載の可変の形状を有する移動する表面上に画像機構の焦点合わせを動的に行う方法。
【請求項９】
前記複数画像は少なくともその一部が相互に重なり合う、請求項８に記載の可変の形状を有する移動する表面上に画像機構の焦点合わせを動的に行う方法。
【請求項１０】
前記画像機構は、前記移動する表面の実質的に全体の画像を捉えるために、前記移動する表面に対して相対的に移動する、請求項７に記載の可変の形状を有する移動する表面上に画像機構の焦点合わせを動的に行う方法。
【請求項１１】
前記目標表面はシリコンウェーハである、請求項１に記載の可変の形状を有する移動する表面上に画像機構の焦点合わせ動的に行う方法。
【請求項１２】
前記所定数の箇所はシリコンウェーハの裏面上にある、請求項１１に記載の可変の形状を有する移動する表面上に画像機構の焦点合わせを動的に行う方法。
【請求項１３】
前記シリコンウェーハはその周辺上の所定数の箇所で確実につかまれる、請求項１１に記載の可変の形状を有する移動する表面上に画像機構の焦点合わせを動的に行う方法。
【請求項１４】
前記シリコンウェーハは前記画像機構に対して相対的に回転させられる、請求項１３に記載の可変の形状を有する移動する表面上に画像機構の焦点合わせを動的に行う方法。
【請求項１５】
前記画像機構は、前記目標表面の前記モデルから得られたデータに応答する焦点合わせ機構を備える、請求項１に記載の可変の形状を有する移動する表面上に画像機構の焦点合わせを動的に行う方法。
【請求項１６】
前記焦点合わせ機構は、
プリズムであって、該プリズムの上面が前記移動する表面に隣り合うように位置し、該プリズムの該上面が前記移動する表面に対して実質的に直線的に移動するように移動装置と結合されており、該プリズムは前記移動する表面と前記画像機構のカメラとの間の光経路を規定する、プリズムを備える、請求項１５に記載の可変の形状を有する移動する表面上に画像機構の焦点合わせを動的に行う方法。
【請求項１７】
前記移動装置は平行四辺形のリンク機構である、請求項１６に記載の可変の形状を有する移動する表面上に画像機構の焦点合わせを動的に行う方法。
【請求項１８】
前記移動する表面に対して相対的に前記プリズムを移動することにより、前記画像機構の前記焦点合わせの目的を達成する、請求項１６に記載の可変の形状を有する移動する表面上に画像機構の焦点合わせを動的に行う方法。
【請求項１９】
前記目標表面の形状のモデルを作成することは、
前記目標表面と実質的に同一であるサンプル表面上に、座標系の原点として選ばれたある箇所を識別することと、
前記サンプル表面上の所定数の位置の、前記原点位置に対する相対的位置を測定することと、
前記所定数の位置および前記原点との相対的位置から、前記サンプル表面の前記形状のモデルを作成することと
をさらに包含する、請求項１に記載の可変の形状を有する移動する表面上に画像機構の焦点合わせを動的に行う方法。
【請求項２０】
実質的に同一の物理的性質および境界条件を有する複数の目標表面に対して、前記サンプル表面の前記形状の前記モデルを使用することを、さらに包含する、請求項１９に記載の可変の形状を有する移動する表面上に画像機構の焦点合わせを動的に行う方法。
【請求項２１】
前記モデルは、自然近傍補間法、面パッチ法、二次表面法、多項式補間法、スプライン補間法、およびデローニー三角形分割法からなるグループの中から選ばれる数学的方法を使用して作成される、請求項１９に記載の可変の形状を有する移動する表面上に画像機構の焦点合わせを動的に行う方法。
【請求項２２】
可変の形状の移動する表面上にカメラの焦点合わせを行う方法であって、
該移動する表面と実質的に同一のサンプル表面上に、原点として１つの場所を識別することと、
該サンプル表面上の所定数の点の、該原点に対する相対的位置を測定することと、
該点および該原点の位置を使用して、該サンプル表面の形状のモデルを作成することと、
該移動する表面上の所定数の点の位置を測定することと、
該移動する表面上の該所定数の点の該位置を使用して、該サンプル表面の該形状の該モデルを該移動する表面に適合することにより、該移動する表面のカメラに向いている部分の所定の時間における距離が、該カメラの焦点深度以内にある距離のレンジ内にあることを、知ることと、
該移動する表面に適合された該モデルからのデータを使用して、該移動する表面をその焦点深度内に動的に維持するために、カメラを駆動することと
を包含する方法。
【請求項２３】
前記カメラは、前記移動する表面に適合された前記モデルからのデータを使用して調整される、焦点合わせ機構を備える、請求項２２に記載の可変の形状の移動する表面上にカメラの焦点合わせを行う方法。
【請求項２４】
前記焦点合わせ機構は、前記移動する表面に対して実質的に直線的運動をするように適合されたプリズムを備える、請求項２２に記載の可変の形状の移動する表面上にカメラの焦点合わせを行う方法。
【請求項２５】
前記移動する表面に対して相対的に前記カメラを移動させることを包含する、請求項２２に記載の可変の形状の移動する表面上にカメラの焦点合わせを行う方法。
【請求項２６】
前記移動する表面の複数の画像を捉えることを包含する、請求項２２に記載の可変の形状の移動する表面上にカメラの焦点合わせを行う方法。
【請求項２７】
可変の形状を有する移動する表面の画像を捉えるための画像機構であって、
画像を捉えるためのカメラと、
該移動する表面と該カメラとの間の光経路を規定する焦点合わせアセンブリであって、該焦点合わせアセンブリは前記移動する表面に近づくときも離れるときも実質的に平行運動を行うように適合されたプリズムを備え、該プリズムと該移動する表面との間の距離が該焦点合わせアセンブリの焦点深度と関連付けられる、アセンブリと、
該移動する表面を照明するための照明装置と
を備えた、画像機構。
【請求項２８】
前記カメラは面走査カメラおよび線走査カメラのうちの１つである、請求項２７に記載の可変の形状を有する移動する表面の画像を捉えるための画像機構。
【請求項２９】
前記画像機構が、前記移動する表面に対して相対的に移動可能なステージの上に取り付けられる、請求項２７に記載の可変の形状を有する移動する表面の画像を捉えるための画像機構。
【請求項３０】
前記焦点合わせ機構は、ベースおよび複数のアームを有する平行リンク機構をさらに備え、該ベースは移動可能なステージと結合され、該アームは該ベースと接合点で相対的回転可能に結合され、前記焦点調整機構の前記プリズムは前記移動する表面に近づくおよび離れる運動ができるように該並行リンク機構の該アームと結合され、前記プリズムは前記移動する表面によって定義される平面と実質的に平行を保つ、請求項２９に記載の可変の形状を有する移動する表面の画像を捉えるための画像機構。
【請求項３１】
前記プリズムを前記移動する表面に近づけるおよび離す運動を行うために、前記並行リンク機構のベースと前記プリズムとの間に結合されたアクチュエータを備える、請求項３０に記載の可変の形状を有する移動する表面の画像を捉えるための画像機構。
【請求項３２】
アクチュエータは電磁式および圧電式装置からなるグループから選択される、請求項３１に記載の、可変の形状を有する移動する表面の画像を捉えるための画像機構。
【請求項３３】
前記移動する表面は前記画像機構に対して回転する、請求項２９に記載の可変の形状を有する移動する表面の画像を捉えるための画像機構。
【請求項３４】
前記移動可能なズテージは、前記移動する表面の実質的に全部にアドレスすることができるように、前記画像機構を前記移動する表面に対して半径方向に動かす、請求項３３に記載の可変の形状を有する移動する表面の画像を捉えるための画像機構。
【請求項３５】
前記画像機構は、前記移動する表面の複数のセクターの複数の画像を捉えるように制御される、請求項３４に記載の可変の形状を有する移動する表面の画像を捉えるための画像機構。
【請求項３６】
前記画像機構は線走査カメラをさらに備え、また前記移動可能なステージは該線走査カメラを前記移動する表面の複数の環状領域にアドレスするように適合されている、請求項３３に記載の可変の形状を有する移動する表面の画像を捉えるための画像機構。
【請求項３７】
前記画像機構は前記移動する表面の半径よりも大きい幅を有する線走査カメラを備える、請求項２７に記載の可変の形状を有する移動する表面の画像を捉えるための画像機構。
【請求項３８】
前記移動する表面はシリコンウェーハである、請求項２７に記載の可変の形状を有する移動する表面の画像を捉えるための画像機構。
【請求項３９】
前記移動する表面はシリコンウェーハの底面である、請求項３８に記載の可変の形状を有する移動する表面の画像を捉えるための画像機構。
【請求項４０】
前記移動する表面は前記画像機構に対して回転する、請求項２７に記載の可変の形状を有する移動する表面の画像を捉えるための画像機構。
【請求項４１】
前記照明装置は明視野照明装置および暗視野照明装置のうちの１つである、請求項２７に記載の可変の形状を有する移動する表面の画像を捉えるための画像機構。
【請求項４２】
前記照明装置は光源および該光源から離れた場所にある光照射器を備え、該光源および該光照射器は光ガイドアセンブリによって結合される、請求項２７に記載の可変の形状を有する移動する表面の画像を捉えるための画像機構。
【請求項４３】
前記照明装置は前記画像機構に対する前記移動する表面の相対速度に基づく速度でストロボ発光する、請求項２７に記載の可変の形状を有する移動する表面の画像を捉えるための画像機構。
【請求項４４】
前記焦点合わせ機構は、ベースおよび複数のアームを有する平行リンク機構をさらに備え、該アームは該ベースと接合点で相対的回転可能に結合され、前記焦点調整機構の前記プリズムは前記移動する表面に近づくおよび離れる運動ができるように該並行リンク機構の該アームと結合され、前記プリズムは前記移動する表面によって定義される平面と実質的に平行を保つ、請求項２７に記載の可変の形状を有する移動する表面の画像を捉えるための画像機構。
【請求項４５】
前記プリズムを前記移動する表面に近づけるおよび離す運動を行うために、前記並行リンク機構の前記ベースと前記プリズムとの間に結合されたクチュエータをさらに備える、請求項４４に記載の可変の形状を有する移動する表面の画像を捉えるための画像機構。
【請求項４６】
アクチュエータは電磁式および圧電式装置からなるグループから選択される、請求項４５に記載の可変の形状を有する移動する表面の画像を捉えるための画像機構。
【請求項４７】
可変の形状を有する移動する表面の画像を捉えるための画像機構であって、
画像を捉えるためのカメラと、
該移動する表面と該カメラとの間の光経路を規定する焦点合わせアセンブリであって、該焦点合わせアセンブリは前記移動する表面に近づくときも離れるときも実質的に平行運動を行うように適合されたプリズムを備え、該プリズムと該移動する表面との間の距離が該焦点合わせアセンブリの焦点深度と関連付けられる、アセンブリと、
該移動する表面を照明するための照明装置と、
該移動する表面と該焦点合わせアセンブリとの間の距離を決定するためのセンサーであって、該センサーによって得られる距離データが、該移動する表面をその焦点深度内に維持するように該焦点合わせアセンブリを駆動するために使用される、センサーと
を備える、画像機構。
【請求項４８】
移動する表面上に画像機構の焦点合わせを行う方法であって、
該移動する表面と焦点合わせ機構との間の距離を即座に測定することと、
該測定された距離データを使用して、該移動する表面をその焦点深度内に維持するように、該焦点合わせ機構を駆動することと
を包含する、方法。
【発明の詳細な説明】
【技術分野】
【０００１】
本願は、米国仮特許出願第６０／５８７，３０２号、６０／５８７，２１６号、および６０／５８７，５７０号（全て２００４年７月１２日出願）の利益を主張し、米国特許出願シリアル番号第１０／６２２，８４８（２００３年７月１８日出願）の部分的に継続をなし、その全てを本明細書において援用する。
【０００２】
本発明は、概して、光学システムにおいて焦点を維持するための、方法および機構に関する。
【背景技術】
【０００３】
ウェーハ検査システムは、一般に、検査中にシリコンウェーハを保持するために、真空チャックを使用する。この方法の利点は、ウェーハの表面が、真空チャックの機械加工仕上げされた表面と等しい平坦度を維持できることである。真空チャックまたは他の平坦な表面の上にウェーハが置かれるシステムは、特別にフレキシブルでなく、ウェーハが置かれる表面、および/または、ウェーハの画像を捉えるための画像システムを動かすための複雑かつ高価なステージ機構を必要とする。他のウェーハ検査システムは、シリコンウェーハを空気のクッションの上に浮かせる。この型のシステムは、しっかりと掴まれていないウェーハの位置に固有の変動があることから、位置決めの誤差に悩まされる。さらに重要なことに、ウェーハの縁と回転する位置決め機構との接触が、しばしば小さい破片および縁の他の欠陥の原因となり、これがウェーハ全体を汚染し、特に空気のクッションがウェーハの表面に汚染を広げる手段を提供することとなり得る。さらに、他のシステムは、ウェーハの裏面を調べるために、ウェーハを複数の直交する軸のまわりに回転する、ロボット的装置またはマニピュレータを使用する。しかしウェーハはこのような操作の結果として多少の変形をするので、ウェーハ自身および/またはその上に形成されているマイクロ電子部品構造を損傷する可能性がある。
【０００４】
上述した検査システムが直面する問題点に対する１つの解決策は、シリコンウェーハをその縁で掴み、ウェーハを垂直軸の周囲に回転させ、画像機構がウェーハの裏面全体の画像を捉え得るようにすることである。この方法はウェーハに加えられる応力を制限し、それ故に損傷を回避する。しかしある場合には、ウェーハを縁のみで掴みウェーハ全体を支持していないことから、重力の影響によりウェーハが撓むまたは変形する可能性がある。ウェーハの画像を捉えるために、比較的低い拡大率の光学機器（ｏｐｔｉｃｓ）が使用される場合には、それら光学機器の焦点深度は十分に大きく、ウェーハの表面が検査時間中に焦点中に留まることは確かである。しかし、比較的高い拡大率の光学機器が使用される場合には、ウェーハの表面のかなりの部分が、あるときには検査用光学機器の焦点深度の外にはづれることが起こり得て、その結果システムの性能不足をもたらす。
【０００５】
従って、縁を掴まれたウェーハの撓みあるいは変形を特徴づける方法および装置が必要とされ、この特徴づけを使用して画像システムの光学機器が、ウェーハ表面の画像作成中にウェーハ表面に焦点を維持し続けることを保証することが必要とされる。
【発明の開示】
【課題を解決するための手段】
【０００６】
本発明は、従って、以下の項目を提供する。
【０００７】
（項目１）  
可変の形状（ｖａｒｉａｂｌｅ  ｇｅｏｍｅｔｒｙ）を有する移動する目標（ｔａｒｇｅｔ）表面上に、画像機構の焦点合わせ（ｆｏｃｕｓｉｎｇ）を動的に行う方法であって、
目標表面の形状のモデルを作成することと、
該目標表面の所定数の箇所の相対位置を測定することと、
該目標表面の該所定数の箇所を用いて、該モデルを該目標表面に適用（ｆｉｔｔｉｎｇ）することと、
該モデルの該目標表面への適合によって得られたデータを用いて、該移動する目標表面上への該画像機構の焦点合わせをすることと
を包含する、方法。
【０００８】
（項目２）  
上記目標表面上の上記所定数の箇所の上記相対位置は、センサーを使用して識別される、項目１に記載の可変の形状を有する移動する表面上に画像機構の焦点合わせを動的に行う方法。
【０００９】
（項目３）
上記目標表面は少なくともいくらかの弾性的性質を有する、またその周辺を強固に支持された、平板であるとする、項目１に記載の可変の形状を有する移動する表面上に画像機構の焦点合わせを動的に行う方法。
【００１０】
（項目４）  
上記目標表面はその周辺上の２またはそれ以上の不連続な箇所で支持される、項目３に記載の可変の形状を有する移動する表面上に画像機構の焦点合わせを動的に行う方法。
【００１１】
（項目５）  
上記目標表面は上記画像機構に対して回転させられる、項目３に記載の可変の形状を有する移動する表面上に画像機構の焦点合わせを動的に行う方法。
【００１２】
（項目６）  
上記画像機構は上記目標表面の実質的に全体の画像を捉えるように適合されている、項目１に記載の可変の形状を有する移動する表面上に画像機構の焦点合わせを動的に行う方法。
【００１３】
（項目７）  
上記画像機構は面走査カメラおよび線走査カメラのうちの１つをさらに含む、項目６に記載の可変の形状を有する移動する表面上に画像機構の焦点合わせを動的に行う方法。
【００１４】
（項目８）  
上記画像機構は複数画像を捉える、項目７に記載の可変の形状を有する移動する表面上に画像機構の焦点合わせを動的に行う方法。
【００１５】
（項目９）  
上記複数画像は少なくともその一部が相互に重なり合う、項目８に記載の可変の形状を有する移動する表面上に画像機構の焦点合わせを動的に行う方法。
【００１６】
（項目１０）  
上記画像機構は、上記移動する表面の実質的に全体の画像を捉えるために、上記移動する表面に対して相対的に移動する、項目７に記載の可変の形状を有する移動する表面上に画像機構の焦点合わせを動的に行う方法。
【００１７】
（項目１１）  
上記目標表面はシリコンウェーハである、項目１に記載の可変の形状を有する移動する表面上に画像機構の焦点合わせ動的に行う方法。
【００１８】
（項目１２）  
上記所定数の箇所はシリコンウェーハの裏面上にある、項目１１に記載の可変の形状を有する移動する表面上に画像機構の焦点合わせを動的に行う方法。
【００１９】
（項目１３）  
上記シリコンウェーハはその周辺上の所定数の箇所で確実につかまれる、項目１１に記載の可変の形状を有する移動する表面上に画像機構の焦点合わせを動的に行う方法。
【００２０】
（項目１４）  
上記シリコンウェーハは上記画像機構に対して相対的に回転させられる、項目１３に記載の可変の形状を有する移動する表面上に画像機構の焦点合わせを動的に行う方法。
【００２１】
（項目１５）  
上記画像機構は、上記目標表面の上記モデルから得られたデータに応答する焦点合わせ機構を備える、項目１に記載の可変の形状を有する移動する表面上に画像機構の焦点合わせを動的に行う方法。
【００２２】
（項目１６）  
上記焦点合わせ機構は、
プリズムであって、該プリズムの上面が上記移動する表面に隣り合うように位置し、該プリズムの該上面が上記移動する表面に対して実質的に直線的に移動するように移動装置（ｍｏｖｅｍｅｎｔ）と結合されており、該プリズムは上記移動する表面と上記画像機構のカメラとの間の光経路を規定する、プリズムを備える、項目１５に記載の可変の形状を有する移動する表面上に画像機構の焦点合わせを動的に行う方法。
【００２３】
（項目１７）  
上記移動装置は平行四辺形のリンク機構である、項目１６に記載の可変の形状を有する移動する表面上に画像機構の焦点合わせを動的に行う方法。
【００２４】
（項目１８）  
上記移動する表面に対して相対的に上記プリズムを移動することにより、上記画像機構の上記焦点合わせの目的を達成する、項目１６に記載の可変の形状を有する移動する表面上に画像機構の焦点合わせを動的に行う方法。
【００２５】
（項目１９）  
上記目標表面の形状のモデルを作成することは、
上記目標表面と実質的に同一であるサンプル表面上に、座標系の原点として選ばれたある箇所を識別することと、
上記サンプル表面上の所定数の位置の、上記原点位置に対する相対的位置を測定することと、
上記所定数の位置および上記原点との相対的位置から、上記サンプル表面の上記形状のモデルを作成することと
をさらに包含する、項目１に記載の可変の形状を有する移動する表面上に画像機構の焦点合わせを動的に行う方法。
【００２６】
（項目２０）  
実質的に同一の物理的性質および境界条件を有する複数の目標表面に対して、上記サンプル表面の上記形状の上記モデルを使用することを、さらに包含する、項目１９に記載の可変の形状を有する移動する表面上に画像機構の焦点合わせを動的に行う方法。
【００２７】
（項目２１）  
上記モデルは、自然近傍補間法、面パッチ法、二次表面法、多項式補間法、スプライン補間法、およびデローニー三角形分割法からなるグループの中から選ばれる数学的方法を使用して作成される、項目１９に記載の可変の形状を有する移動する表面上に画像機構の焦点合わせを動的に行う方法。
【００２８】
（項目２２）  
可変の形状の移動する表面上にカメラの焦点合わせを行う方法であって、
該移動する表面と実質的に同一のサンプル表面上に、原点として１つの場所を識別することと、
該サンプル表面上の所定数の点の、該原点に対する相対的位置を測定することと、
該点および該原点の位置を使用して、該サンプル表面の形状のモデルを作成することと、
該移動する表面上の所定数の点の位置を測定することと、
該移動する表面上の該所定数の点の該位置を使用して、該サンプル表面の該形状の該モデルを該移動する表面に適合することにより、該移動する表面のカメラに向いている部分の所定の時間における距離が、該カメラの焦点深度以内にある距離のレンジ内にあることを、知ることと、
該移動する表面に適合された該モデルからのデータを使用して、該移動する表面をその焦点深度内に動的に維持するために、カメラを駆動することと
を包含する方法。
【００２９】
（項目２３）  
上記カメラは、上記移動する表面に適合された上記モデルからのデータを使用して調整される、焦点合わせ機構を備える、項目２２に記載の可変の形状の移動する表面上にカメラの焦点合わせを行う方法。
【００３０】
（項目２４）  
上記焦点合わせ機構は、上記移動する表面に対して実質的に直線的運動をするように適合されたプリズムを備える、項目２２に記載の可変の形状の移動する表面上にカメラの焦点合わせを行う方法。
【００３１】
（項目２５）  
上記移動する表面に対して相対的に上記カメラを移動させることを包含する、項目２２に記載の可変の形状の移動する表面上にカメラの焦点合わせを行う方法。
【００３２】
（項目２６）  
上記移動する表面の複数の画像を捉えることを包含する、項目２２に記載の可変の形状の移動する表面上にカメラの焦点合わせを行う方法。
【００３３】
（項目２７）  
可変の形状を有する移動する表面の画像を捉えるための画像機構であって、
画像を捉えるためのカメラと、
該移動する表面と該カメラとの間の光経路を規定する焦点合わせアセンブリであって、該焦点合わせアセンブリは上記移動する表面に近づくときも離れるときも実質的に平行運動を行うように適合されたプリズムを備え、該プリズムと該移動する表面との間の距離が該焦点合わせアセンブリの焦点深度と関連付けられる、アセンブリと、
該移動する表面を照明するための照明装置と
を備えた、画像機構。
【００３４】
（項目２８）  
上記カメラは面走査カメラおよび線走査カメラのうちの１つである、項目２７に記載の可変の形状を有する移動する表面の画像を捉えるための画像機構。
【００３５】
（項目２９）  
上記画像機構が、上記移動する表面に対して相対的に移動可能なステージの上に取り付けられる、項目２７に記載の可変の形状を有する移動する表面の画像を捉えるための画像機構。
【００３６】
（項目３０）  
上記焦点合わせ機構は、ベースおよび複数のアームを有する平行リンク機構をさらに備え、該ベースは移動可能なステージと結合され、該アームは該ベースと接合点で相対的回転可能に結合され、上記焦点調整機構の上記プリズムは上記移動する表面に近づくおよび離れる運動ができるように該並行リンク機構の該アームと結合され、上記プリズムは上記移動する表面によって定義される平面と実質的に平行を保つ、項目２９に記載の可変の形状を有する移動する表面の画像を捉えるための画像機構。
【００３７】
（項目３１）  
上記プリズムを上記移動する表面に近づけるおよび離す運動を行うために、上記並行リンク機構のベースと上記プリズムとの間に結合されたアクチュエータを備える、項目３０に記載の可変の形状を有する移動する表面の画像を捉えるための画像機構。
【００３８】
（項目３２）  
アクチュエータは電磁式および圧電式装置からなるグループから選択される、項目３１に記載の、可変の形状を有する移動する表面の画像を捉えるための画像機構。
【００３９】
（項目３３）  
上記移動する表面は上記画像機構に対して回転する、項目２９に記載の可変の形状を有する移動する表面の画像を捉えるための画像機構。
【００４０】
（項目３４）  
上記移動可能なズテージは、上記移動する表面の実質的に全部にアドレスすることができるように、上記画像機構を上記移動する表面に対して半径方向に動かす、項目３３に記載の可変の形状を有する移動する表面の画像を捉えるための画像機構。
【００４１】
（項目３５）  
上記画像機構は、上記移動する表面の複数のセクターの複数の画像を捉えるように制御される、項目３４に記載の可変の形状を有する移動する表面の画像を捉えるための画像機構。
【００４２】
（項目３６）  
上記画像機構は線走査カメラをさらに備え、また上記移動可能なステージは該線走査カメラを上記移動する表面の複数の環状領域にアドレスするように適合されている、項目３３に記載の可変の形状を有する移動する表面の画像を捉えるための画像機構。
【００４３】
（項目３７）  
上記画像機構は上記移動する表面の半径よりも大きい幅を有する線走査カメラを備える、項目２７に記載の可変の形状を有する移動する表面の画像を捉えるための画像機構。
【００４４】
（項目３８）  
上記移動する表面はシリコンウェーハである、項目２７に記載の可変の形状を有する移動する表面の画像を捉えるための画像機構。
【００４５】
（項目３９）  
上記移動する表面はシリコンウェーハの底面である、項目３８に記載の可変の形状を有する移動する表面の画像を捉えるための画像機構。
【００４６】
（項目４０）  
上記移動する表面は上記画像機構に対して回転する、項目２７に記載の可変の形状を有する移動する表面の画像を捉えるための画像機構。
【００４７】
（項目４１）  
上記照明装置は明視野照明装置および暗視野照明装置のうちの１つである、項目２７に記載の可変の形状を有する移動する表面の画像を捉えるための画像機構。
【００４８】
（項目４２）  
上記照明装置は光源および該光源から離れた場所にある光照射器（ｅｍｉｔｔｅｒ）を備え、該光源および該光照射器は光ガイドアセンブリによって結合される、項目２７に記載の可変の形状を有する移動する表面の画像を捉えるための画像機構。
【００４９】
（項目４３）  
上記照明装置は上記画像機構に対する上記移動する表面の相対速度に基づく速度でストロボ発光する、項目２７に記載の可変の形状を有する移動する表面の画像を捉えるための画像機構。
【００５０】
（項目４４）  
上記焦点合わせ機構は、ベースおよび複数のアームを有する平行リンク機構をさらに備え、該アームは該ベースと接合点で相対的回転可能に結合され、上記焦点調整機構の上記プリズムは上記移動する表面に近づくおよび離れる運動ができるように該並行リンク機構の該アームと結合され、上記プリズムは上記移動する表面によって定義される平面と実質的に平行を保つ、項目２７に記載の、可変の形状を有する移動する表面の画像を捉えるための画像機構。
【００５１】
（項目４５）  
上記プリズムを上記移動する表面に近づけるおよび離す運動を行うために、上記並行リンク機構の上記ベースと上記プリズムとの間に結合されたクチュエータをさらに備える、項目４４に記載の可変の形状を有する移動する表面の画像を捉えるための画像機構。
【００５２】
（項目４６）  
アクチュエータは電磁式および圧電式装置からなるグループから選択される、項目４５に記載の可変の形状を有する移動する表面の画像を捉えるための画像機構。
【００５３】
（項目４７）  
可変の形状を有する移動する表面の画像を捉えるための画像機構であって、
画像を捉えるためのカメラと、
該移動する表面と該カメラとの間の光経路を規定する焦点合わせアセンブリであって、該焦点合わせアセンブリは上記移動する表面に近づくときも離れるときも実質的に平行運動を行うように適合されたプリズムを備え、該プリズムと該移動する表面との間の距離が該焦点合わせアセンブリの焦点深度と関連付けられる、アセンブリと、
該移動する表面を照明するための照明装置と、
該移動する表面と該焦点合わせアセンブリとの間の距離を決定するためのセンサーであって、該センサーによって得られる距離データが、該移動する表面をその焦点深度内に維持するように該焦点合わせアセンブリを駆動するために使用される、センサーと
を備える、画像機構。
【００５４】
（項目４８）  
移動する表面上に画像機構の焦点合わせを行う方法であって、
該移動する表面と焦点合わせ機構との間の距離を即座に測定することと、
該測定された距離データを使用して、該移動する表面をその焦点深度内に維持するように、該焦点合わせ機構を駆動することと
を包含する、方法。
【００５５】
上記に加えて、
可変の形状を有し移動する目標表面上に、画像機構の焦点合わせを動的に行う方法および装置が、ここに開示されている。画像機構の焦点合わせのための装置は、対物レンズ、プリズム、または画像機構の光学機器列の部分を形成するその他の光学部品、目標表面までの距離を測定するセンサー、および対物レンズ、プリズム、または他の光学部品の、焦点深度を変更するための機構を含み得る。センサーからのデータは、目標表面の予測モデルを作成するために使用され得る。センサーからのデータはまた、作成されたモデルを代表的な目標に適合または関連付けるために使用される。関連付けられたモデルからのデータは、代表的な目標の表面を焦点内に維持するために、対物レンズ、プリズム、または他の光学部品の焦点深度を変更するための機構を駆動するために使用される。
【発明を実施するための最良の形態】
【００５６】
発明に関する以下の詳細な記述において、添付図が参照されるが、それらの図面は、それが表示の意図をもって示された場合は、発明が実施され得る場合の特定の実施形態の一部を成す。図面の中で同じ数値は、いくつかの図を通じて実質的に同じ構成要素を記す。これらの実施形態は、当業者が、発明を実施出来るように、十分に詳細に記述される。その他の実施形態も使用されることを得、さらに構造的、論理的、および電気的な内容の変更が、本発明の範囲から逸脱することなく、なされ得る。以下の詳細な記述は、それ故に、制限を課す意味にとられるべきではなく、本発明の範囲は、添付の請求項およびそれに関する均等物によってのみ定められる。
【００５７】
先ず図１によれば、半導体およびマイクロ電子機械装置（ＭＥＭＳ）の製造者にて使用されるタイプのウェーハのような、基板１１を保持するための機構１０が、照明機構１２および画像機構１４との関連において描かれている。保持機構１０は基板１１を、その縁で確実に掴むので、機構１０と基板１１との間には、実質的に相対運動は生じない。機構１０はさらに、基板１１の表面が、図１の実施形態では基板１１の底面であるが、画像機構１４により実質上全面的に近接可能となるように、配置されており、その結果基板１４の実質的に下面全部が画像化され得る。
【００５８】
保持機構１０は、基板１１が画像機構１４に対して動くように作られている。図１の実施形態では保持機構１０は、基板１１を矢印１５で示すように軸に関して回転する。他の実施形態では、保持機構１１はさらに、基板１１を画像機構１４に対して直線的に、曲線的に、および/または不連続に動かすように作られ得ることに留意すべきである。それに加えて、図２に見られるように、一部の実施形態では画像機構１４は基板１１に対して動くように作られ得て、上述の動きと同時的に動き得る。ある実施形態では、画像機構１４が基板１１の実質的に全体の画像を捉えることができるように、画像機構１４は保持機構１０と共同して作動する。直ちにわかるように、基板１１が画像機構１４に対して回転させられるときに、画像機構１４は基板１１のリング状部分（ｒｉｎｇ）Ｒに沿った連続的画像を捉えるように作動させられる。リング状部分Ｒの全体の画像が得られたら、画像機構１４は基板１１の他のリング状部分Ｒの画像を捉えるために、基板１１に対して半径方向に移動する。この方法で基板１１の実質的に全表面の画像が捉えられ得る。ある例において保持機構１０および画像機構１４との方向によっては、画像化される基板１１の表面は、基板１１の上面あるいは下面となり得ることに留意すべきである。
【００５９】
保持機構１０は基板１１を、多くの異なる仕組みで掴むことが出来る。図４ａでは、基板１１の外周縁が、約１２０°の間隔で置かれた３つの保持機構により掴まれている。図４ｂでは、保持機構の別の実施形態が、基板１１の外周縁の比較的大きな部分を２箇所で掴んでいる。この他の仕組みも予期される。
【００６０】
画像機構１４を現在の技術水準で知られる単軸のステージ（示されていない）の上にのせることにより、画像機構１４は保持機構１０に対して半径方向に動かされ得る。一部の実施形態におけるように、保持機構１０が基板１１を動かさない場合には、画像機構１４はＸＹステージにのせられ得る。その結果、画像機構１４の光学機器列（ｏｐｔｉｃａｌ  ｔｒａｉｎ）の焦点調整機構１６は、連続的または不連続的な蛇行した経路に沿って、基板１１の実質的に全表面に到達し得る。
【００６１】
照明機構１２は、画像機構１４が基板１１の画像を捉えることが出来るように、基板１１を照明する。一実施形態では、照明機構１２は、基板上に比較的低い角度で光を照射するように作られた暗視野照明装置（ｄａｒｋｆｉｅｌｄ  ｉｌｌｕｍｉｎａｔｏｒ）を用いる。図１に見られるように、照明機構１２は、光源２２と光ガイド２４（それは多芯線（ｍｕｌｔｉ−ｓｔｒａｎｄ）の光ファイバーケーブル、固体の光パイプ、又は液体の光ガイドであり得る）で結ばれた光照射器（ｅｍｉｔｔｅｒ）２０とを含む。照明機構１２の暗視野実施形態は、基板１１の表面上に十分な光を照射することが出来る、どのような有用な形をもとり得ることが、理解されるべきである。一部の例では、照明機構１２は、基板１１の上にコヒーレントな光を照射するように配置された１つまたはより多くのレーザー（示されていない）であり得るが、あるいはまたは単にリング状の光（示されていない）でもあり得る。画像機構１４はそれ自身が、当業者に知られた方法による、画像機構１４の光学機器列の中に組み込まれた、明視野照明装置を備え得る。
【００６２】
図３は、画像機構１４のある実施形態の対物レンズ３０の概略図を示す。各対物レンズ３０または対物レンズ３０と同じ方法で使用される他の光学装置は、焦点深度Ｆと関連している。ここで用いられるように、「焦点深度」の用語は、対物レンズ３０が鮮明度の許容し得るレベルで、画像を分解することが出来る距離の範囲を表す。図に見られるように、焦点深度Ｆは一般には基板１１の深さ全部にわたる十分な幅を有する。その結果、対物レンズ３０に面する基板１１の全表面は、基板１１が対物レンズ３０に対して相対的に動いても、常に焦点の中にある。しかし上述したように、基板がその縁のみで取り付けられている場合には、基板１１は、少なくともある程度は、弾性的な膜として挙動し、その結果変形することが可能である。変形した基板１１’が、誇張されて図３に示されている。変形した基板の形は誇張されているが、ある場合には基板１１’は対物レンズ３０の焦点深度Ｆの外にまで変形し得ることが理解される。基板１１’が対物レンズ３０の焦点深度Ｆの外に来る場合には、焦点合わせ機構３２が起動され得て、対物レンズ３０の焦点距離Ｄを変更し、対物レンズ３０の焦点深度Ｆを基板１１’を囲む位置に移動させ、基板１１’を焦点内に取り込む。
【００６３】
基板１１が画像機構１４の対物レンズ３０に対して相対的に動かされる場合、基板１１を対物レンズ３０の焦点深度Ｆの中に維持するために、対物レンズ３０の焦点距離Ｄを動的に修正することがしばしば必要となる。なぜなら、一般には対物レンズの焦点軸とは一致しない平面内において、対物レンズ３０を通り過ぎた基板１１の動きが、対物レンズの焦点深度Ｆを外れる基板１１の部分となり得るからである。ある例では、基板１１と対物レンズ３０、あるいはむしろ画像機構１４の上のある任意の位置との間の距離を、即座に（ｏｎ  ｔｈｅ  ｆｌｙ）、すなわち基板１１が移動するときに、センサー３４を用いて計測することが可能である。このセンサーは、ある実施形態では容量型センサーであるが、基板１１と画像機構１４との間の較正された距離を検出し、この距離データを用いて焦点合わせ機構３２を制御し、基板１１が常時対物レンズ３０の焦点深度Ｆ内に留まることを保証する。しかし、このような焦点合わせ機構３２の直接的制御は、多くの従来技術の焦点合わせ機構３２の応答時間が通常使用されるセンサー３４の計測速度に比してかなり遅いために、相対的に速度が遅いことがあり得る。
【００６４】
別の実施形態では、予め予測した基板１１の変形をモデル化して、基板１１の形状に関する情報は既知および/または記録されているので、センサー３４の使用によるよりも速い速度で焦点合わせ機構３２にデータを提供する。しかし、同一にパターン化された模範的な基板１１においてもなお、その性質の変化により、基板の正確な形状を知ることは困難である。従って、標準的な、または経験的な方法で導かれた、基板１１の変形した形状を表すモデルは、上述したセンサー３４によって獲得された距離データを用いて、修正または関連付けされることを得て、その結果、上記モデルは基板の実際の形状に、許容範囲内で、一致する。一部の実施形態では、参照される許容範囲は対物レンズ３０の焦点深度Ｆと関連している。すなわち、モデルと検査される代表的な基板１１との間の差異は、修正された、あるいは修正されないモデルにより提供されたデータが、焦点合わせ機構３２をして基板の表面を対物レンズ３０の焦点深度Ｆの範囲内に維持することを可能とする限りにおいては、許容し得ると考えられる。
【００６５】
一実施形態では、基板１１の形状のモデル化の方法は、図４ａおよび４ｂに示された基板の境界条件および荷重（ｌｏａｄｉｎｇ）条件を決定することから始まる。境界および荷重条件を用いて、基板１１の最終の形状が、既知の標準的な構造解析手法を使用して得られる。ひとたび適切な標準的モデルが導かれたならば、このモデルは、センサー３４のようなセンサーを用いて基板１１の表面の予め定められた位置において採られた多数の計測値を用いて、続く同一の条件で置かれた基板１１と適合される。適合されたモデルから導かれたデータは、次に、基板１１の表面が焦点内に留まることを保証するために、焦点合わせ機構３２を駆動するために用いられる。
【００６６】
別の実施形態では、基板１１の形状のモデル化の方法は、基板１１の幾何学的形状および基板上に形成された全ての構造に関する情報とそれらが作られている材料の性質を、基板の境界および荷重条件と共に、有限要素法解析プログラムを稼動しているコンピュータに入力することから始まる。次に有限要素法解析プログラムは、基板１１のモデルを生成するために実行され、基板１１の表面が画像の焦点の中に留まることを保証するように、焦点合わせ機構３２を駆動するために使用され得るデータを提供する。有限要素法解析で作成されたモデルは、そのままで（ａｓ−ｉｓ）使用され得、あるいはさらに、上述したように所定の位置でのセンサー３４のようなセンサーによって採られた多数の計測値を用いた、実際の基板の形状に適合され得る。
【００６７】
更にその他の実施形態では、画像機構１４が基板１１の上に焦点を保持することを保証する方法は、基板１１の上の所定数の位置で、基板１１とセンサー３４との間の距離を計測することから始まる。これらの計測結果を用いて、基板１１の表面のモデルが適切な内挿法または「適合（ｆｉｔｔｉｎｇ）」アルゴリズムを用いて創成される。単なる例として、基板１１の形状のモデルを作成するために適したいくつかのアルゴリズムは、自然近傍（ｎａｔｕｒａｌ  ｎｅｉｇｈｂｏｒ）補間法、面パッチ法（ｓｕｒｆａｃｅ  ｐａｔｃｈｅｓ）、二次表面法（ｑｕａｄｒａｔｉｃ  ｓｕｒｆａｃｅｓ）、多項式（ｐｏｌｙｎｏｍｉａｌ）補間法、スプライン（ｓｐｌｉｎｅ）補間法、およびデローニー三角形分割（Ｄｅｌａｕｎｅｙ  ｔｒｉａｎｇｕｌａｔｉｏｎ）法を含むが、これに限定するものではない。所定の基板１１および所定の荷重と境界条件に対してモデルが作成されたならば、このモデルは、基板１１の表面が対物レンズ３０の焦点深度Ｆの中に実質上常に留まることを保証するために、焦点合わせ機構３２にデータを提供するために用いられる。モデルが、検査を受ける特定の基板１１、それはある時には目標、目標表面、および/または代表的な基板として参照されること、に適合されていることを保証するために、目標の一組の適合計測値が採られる。これらの適合計測値は、モデルと目標基板との間に相違があるか否かを決定することにより、およびあらゆる確認された相違を最小にするようにモデルを修正するために用いられる修正係数を作成することにより、モデルを目標基板に適合させるために使用される。単なる例として、修正されるべきいくつかの相違はつぎのもの、すなわち、相の不一致（モデルが目標基板に対して回転する場合）、平面度の不足（モデルが目標基板に対して同一平面上にない（ｏｕｔ  ｏｆ  ｐｌａｎａｒ  ａｌｉｇｎｍｅｎｔ）場合）、およびオフセット誤差、これはモデルが目標基板から方向または角度でオフセットし、それが目標基板１１を対物レンズ３０の焦点深度Ｆの中に保持する焦点合わせ機構の能力に悪く影響する場合である、を含み得るが、これに限定されるものではない。一部の実施形態では、目標基板を対物レンズ３０の焦点深度Ｆの外にはずす原因とならない程度の相違は、修正の対象とならない。他の実施形態では、全ての相違は修正される。
【００６８】
図５は、目標基板１１の表面上に光学機器列の焦点合わせを行う装置の、別の実施形態の概略図であり、その機構は図５の中に参照番号５０で示される。焦点合わせ装置５０は、アーマチュア５４の上に載せられた焦点合わせプリズム５２を含み、アーマチュア５４はプリズム５２が基板１１に近づくおよび離れる動きを可能とし、それによって基板１１をプリズム５２の焦点深度Ｆの中に保持する。一実施形態では、アーマチュア５４は複合並行リンク機構６６を含み、これは焦点合わせプリズム５２に矢印５６で示す方向に沿って目標基板１１に近づくおよび離れる動きを与える。矢印５６は目標基板１１に対して角度αをなすことに注意を要する。焦点合わせプリズム５２の図示された方向の動きは、プリズム５２が焦点合わせプリズム５２と基板との間の距離Ｄを、５６の方向の移動距離に角度αの正弦関数を乗じた値だけ変化させることを意味する。一実施形態では、距離Ｄは出発点から±０．５ｍｍの間隔で変化する。
【００６９】
プリズム５２は任意の形式の直線伸縮アクチュエータ５８によって５６の方向に沿って動かされる。使用され得るアクチュエータの性質または形式を制限するものではないが、例示すれば、アクチュエータ５８は電磁式または圧電式のアクチュエータであり得る。アクチュエータ５８は装置５０のステージ６０とベース６２の間に結合されている。プリズム５２は、ステージ６０に固定されたホルダー５３に結合されている。装置５０のベース６２は、一実施形態では、ブラケット６３によって適切な形式の画像装置６４と直に結合されている。図５に見られるように、ステージ６０はベース６２と、複合並行リンク機構６６によって結合されており、リンク機構６６は少なくとも１組の第１のアーム６８がベース６２とブリッジ７０との間に結合されている。少なくとも１組の第２のアーム７２がブリッジ７０とステージ６０の間に結合されている。少なくとも１組の第１のアーム６８のアームは全て実質的に同じ長さであるので、ブリッジ７０はベース６２に対して浅いアーチ型の経路上を移動し、その結果常に実質上平行を保つ。同様に少なくとも１組の第２のアーム７２は等しいあるいは実質的に等しい長さであるので、ステージ６０はブリッジ７０に対して浅いアーチ型の経路上を移動し、その結果、常に実質上平行を保つ。そして、ブリッジ７０およびステージ６０のアーチ型の経路が相互に実質的に鏡像をなすので、その結果プリズム５２の方向５６に沿った移動は実質的に直線となる。一部の実施形態では、プリズム５２を５６の方向に沿ってアーチ型に移動させる、単純な平行リンク機構が使用され得ることに注意を要する。
【００７０】
一実施形態では、第１および第２のアームの組と、ベース６２、ブリッジ７０、ステージ６０との間のジョイントが全て固体ばねジョイントであり、この場合アーム、ベース、ブリッジおよびステージはすべて１つに接続した構造を形成し、ジョイントは接続した構造の対応箇所の間の弾性変形および移動を許容するように薄く柔軟な材料で作られる。このような固体のジョイントの寸法および形状は、アームとベース、ブリッジとステージとの間の固体ジョイントに加えられる応力および歪みが比較的低くなるような、ものであることに注意を要し、また一実施形態ではその寸法および形状は、ジョイントの変形が十分に弾性的であり、アーマチュアが作られている材料の塑性変形および亀裂が確実に生じないような、ものであることに注意を要する。別の実施形態では、第１および第２のアームの組は、ベース、ブリッジおよびステージと標準的なピンジョイントを用いて接合される。
【００７１】
図５から明らかなように、プリズム５２は基板１１の表面からの光を受けて、光線６５で示すようにその光を画像機構６４に送る。一実施形態では、プリズム５２はペンタ（五角形）プリズムであるが、ほかのプリズム、レンズ、あるいはそれらの組み合わせがその代わりに採用され得る。一実施形態では、プリズム５２はそれを通過して送られる画像に対して約２の平方根の倍率あるいはゲインを与える。しかしプリズム５２あるいはそれの光学的均等物によって与えられるゲインは、プリズムおよびその均等物の正確な形状および光学的性質に依存して変化することを理解する必要がある。
【００７２】
プリズム５２、その保持部品５３、およびそれらが結合されているアーマチュア５４の慣性質量および運動に対する機械的抵抗は、比較的少ないので、アクチュエータ５８は焦点距離Ｄを素早く滑らかに変更することが可能である。これは基板１１の表面が実質的に常時焦点内に留まることを保証し、また、基板が画像機構１４に対して相対的に動き得る速度および焦点距離Ｄが変更され得る速度の間の直接的相互関係があるときには、焦点合わせ機構５０と協調することにより検査システムのより速い稼動を可能にする。それに加えて、検査システムの中での焦点合わせ機構５０の使用は、検査される基板１１の表面形状の変化を測定するセンサー３４のみを使用する場合にも、検査システムをより速い速度で稼動することを可能にする。
【００７３】
結論
これまで様々な例について述べてきたが、本発明は例示された特定のものに限定されるものではない。本発明は、他のものの中で、構造のモデルを１つまたはそれ以上の構造の実際の例と関連付ける方法、およびモデルと実際の構造との間の相違を修正する方法、とを実施形態とする。また本発明は構造のモデルを構造の実際の例と関連付けるデータを提供するメカニズムを提供し、またモデルのデータと代表例との間の相互関係を用いて代表例の表面を光学機器列の焦点深度の中に維持する、動的な焦点合わせのメカニズムの実施形態を提供する。
【００７４】
本発明の特定の実施形態が、ここでは図示され、かつ記述されているが、同一の目的を達成するように考慮されたあらゆる改変が、ここに示された特定の実施形態に代わり得ることは、当業者によって認識されるであろう。本発明の多くの適用は当業者にとって明白である。従って本出願は、本発明のあらゆる応用あるいは変更を包含することを意図している。本発明は添付の請求項およびその均等物によってのみ制限されることは、明らかに意図されている。
【図面の簡単な説明】
【００７５】
【図１】基板を検査するための機構の概略側面図であり、この検査機構は、基板が画像機構に対して相対的に移動する場合に、基板上に画像機構の焦点合わせを動的に行う機構を含む。
【図２】基板を検査するための機構のある実施形態の概略平面図であり、画像機構は検査中に基板に対して相対的に移動する。
【図３】変化する形状を有する基板の拡大概略図であり、画像機構が検査のための画像を捉えるために置かれる。
【図４】図４ａおよび図４ｂは、検査のために固定された基板の境界条件の例である。
【図５】基板の表面を画像機構の焦点の範囲内に維持するための、焦点合わせ機構の概略図である。
【図１】
2006054441.tif 000002
【図２】
2006054441.tif 000003
【図３】
2006054441.tif 000004
【図４】
2006054441.tif 000005
【図５】
2006054441.tif 000006
【外国語明細書】
2006054441000001.pdf
2006054441000002.pdf
2006054441000003.pdf
2006054441000004.pdf